(57)【特許請求の範囲】
【請求項１】
外周面にテープを巻回する円筒状のハブと、該ハブの下端部に一体成形された円盤状の下部フランジと、前記ハブの上端部に固着された円盤状の上部フランジを備えると共に、前記下部フランジの内周部にドライブギヤに噛合して駆動されるリールギヤを有してなる記録メディアテープ用リールにおいて、
前記リールギヤがドライブギヤに噛合して回転駆動された状態で、下部フランジの外周端の高さが、下部フランジの内周端の高さより低い位置にあるとともに、上部フランジの外周端の高さが、上部フランジの内周端の高さより高い位置にあり、
さらに、前記下部フランジにおける内周端と外周端との高さの差をｔ１、前記上部フランジにおける外周端と内周端との高さの差をｔ２とするとき、ｔ２＞ｔ１に設定されていることを特徴とする記録メディアテープ用リール。
【発明の詳細な説明】
【０００１】
【発明の属する技術分野】
本発明は、外周面にテープを巻回する円筒状のハブの上下端部に円盤状のフランジを備えてなる記録メディアテープ用リールに関するものである。
【０００２】
【従来の技術】
コンピュータ等の外部記憶装置その他の記録再生装置に用いられる記録メディアとして磁気テープがある。この磁気テープはリールに巻装されてカートリッジケース内に収容され、この磁気テープカートリッジが記録再生装置に装填されて、リールの回転に伴って磁気テープが走行して、記録面に対する記録再生が行なわれる。
【０００３】
最近の磁気テープは高容量化されて、１巻あたりに記録できる容量が数十ＧＢから数百ＧＢまでに達している。この高容量を実現するため、トラックピッチ幅を狭くしたり、テープ厚みを薄くしたり、サーボ信号を書き込んだりしている。これに伴い、ドライブ装置のテープ走行機構、カートリッジ構造にも高精度が要求され、特に磁気テープが巻かれるリール形状の精度が必要とされている。
【０００４】
上記テープリールは、回転軸線を中心軸線とする円筒状のハブと、このハブの上下端部から径方向に円盤状に張り出した一対のフランジとで構成され、上記ハブの外周面と上記一対のフランジの互いに対向する内面との間に記録メディアテープの巻回空間を形成している。一般に、このテープリールを樹脂成形品で構成する場合は、下部フランジとハブとを一体に成形し、このハブの上端に、別途に成形した上部フランジを固着している。
【０００５】
上記ハブと上部フランジとの固着は、通常、溶着ボスまたはエネルギダイレクタを設けた超音波溶着によって行なっている。この超音波溶着は、加工時間が短く、成形品の一部が溶融したものを接合剤として使用する点でランニングコストが低くなり、テープリールの製造においては汎用されている。
【０００６】
【発明が解決しようとする課題】
このようなテープリールを備えた磁気テープカートリッジにおいて、回転駆動されているフランジの内面が磁気テープに接触すると、磁気テープの損傷や発塵を生じる虞れがある。そして、この問題は、磁気テープの記録密度が大きくなる程、また高信頼性が求められる程大きな問題となってきた。特に磁気テープの厚さ（磁気記録層を含む）が２０μｍ以下、特に１５μｍ以下と薄くなると、上記擦れによリ磁気テープが被る損傷が顕著になった。
【０００７】
上述の事情に鑑み、本発明の目的は、磁気テープのような記録メディアテープがテープリールのフランジの内面に接触するのを防止することにある。
【０００８】
ところで、上記磁気テープカートリッジには、１リールタイプのものと２リールタイプのもととがあり、例えば１リールタイプのテープリールを駆動するドライブ装置側では、テープリールとのチャッキングを確実に行うため、回転シャフトの上端面に円環状のドライブギヤとマグネットを備え、テープリールの下端面に形成したリールギヤにドライブギヤを噛合して遊びがないように駆動する構造に設計されている。
【０００９】
このように、テープリールをドライブギヤとリールギヤの噛合で駆動する構造とすると、チャッキングは確実に行われるが、両ギヤを精度よく形成するのが難しいという製造上の問題を有する。従って、両ギヤの噛合によるリールの回転駆動時には、テープリールの上下フランジの外周端には多少の面振れが存在して、繰り出される磁気テープに対してフランジの先端部が接近したり離れたりする。
【００１０】
ドライブギヤとリールギヤの噛合にこのような面振れが存在すると、ドライブギヤの回転中心に対して直交するリールギヤの回転平面に微小な振れを生じ、その影響によるフランジ外周での面振れは拡大されて大きくなり、さらに低い成形精度等によってテープリール自体が有している面振れが加わると大きな面振れになってしまう虞れがある。
【００１１】
一方、磁気テープの走行位置に対しては、前述の高容量化に対応して記録再生特性の信頼性を確保するために高精度が要求されており、フランジの面振れが大きくなると磁気テープに接触するなどしてテープ走行精度に影響を与える可能性があるために、フランジ位置にも高精度が要求される。
【００１２】
しかしながら、ドライブギヤとリールギヤの噛合精度およびテープリールの成形精度は、量産性の点等から、記録密度および記録精度の向上に対応するのに十分な精度を確保することが困難な場合がある。
【００１３】
したがって、本発明の目的は、ドライブギヤに噛合して駆動されるリールギヤを備えた記録メディアテープ用リールにおいて、このテープリールの回転駆動中に面振れがあってもフランジがテープ走行に影響を与えないようにして良好な記録再生特性を確保することにある。
【００１４】
【課題を解決するための手段】
上記目的を達成するために本発明は、外周面にテープを巻回する円筒状のハブと、該ハブの下端部に一体成形された円盤状の下部フランジと、前記ハブの上端部に固着された円盤状の上部フランジを備えると共に、前記下部フランジの内周部にドライブギヤに噛合して駆動されるリールギヤを有してなる記録メディアテープ用リールにおいて、
前記リールギヤがドライブギヤに噛合して回転駆動された状態で、下部フランジの外周端の高さが、下部フランジの内周端の高さより低い位置にあるとともに、上部フランジの外周端の高さが、上部フランジの内周端の高さより高い位置にあり、
さらに、前記下部フランジにおける内周端と外周端との高さの差をｔ１、前記上部フランジにおける外周端と内周端との高さの差をｔ２とするとき、ｔ２＞ｔ１に設定されていることを特徴とするものである。
【００１５】
【発明の効果】
本発明によれば、リールギヤがドライブギヤに噛合して回転駆動された状態では、常に下部フランジの外周端の高さが下部フランジの内周端の高さより低い位置にあるとともに、上部フランジの外周端の高さが上部フランジの内周端の高さより高い位置にあることにより、ドライブギヤとリールギヤとの噛合における面振れの影響を受けても上下フランジがテープ走行に影響を与えることがなく、良好な走行精度の確保により高容量化に対して十分に対応可能となる。
【００１６】
また、リールギヤの形成位置に近い下部フランジの面振れ量よりも、上部フランジの面振れ量が基本的に大きくなることから、下部フランジにおける上記ｔ１の値に対し、上部フランジにおける上記ｔ２の値が大きく（ｔ２＞ｔ１）設定されるのである。
【００１７】
【発明の実施の形態】
以下、図面に示す実施の形態に基づいて本発明を詳細に説明する。
【００１８】
図１は、本発明を適用した１リールタイプのテープリールの構造を示す断面図で、図２はテープリールの寸法関係を示す模式図である。
【００１９】
テープリール１１は、磁気テープ等の記録メディアテープ（図示せず）が外周面１２ａに巻回される円筒状のハブ１２と、このハブ１２の一方の端部（図で下方）の外周から径方向に円盤状に張り出した下部フランジ１３とが合成樹脂材料により一体成形され、上記ハブ１２の他方の端部（図で上方）に合成樹脂材料により別体成形された円盤状の上部フランジ１４が超音波溶着等により固着されている。
【００２０】
上記ハブ１２の内周側部分には円盤状の下部フランジ１３の内周部を閉塞するように底壁１５が連接され、この底壁１５の外表面にはテープリール１を回転駆動するためのリールギヤ１６が環状に刻設され、さらに、このリールギヤ１６より内周側にはマグネット式吸引用の環状金属板からなるリールプレート１７がインサート成形されている。
【００２１】
上記リール１１には記録メディアテープが巻回されて、不図示のカートリッジケースに収納され、ケースの底面に開口された開口部からリール１１のリールギヤ１６が露出する態様で記録メディアカートリッジが構成される。
【００２２】
また、ドライブ装置２０は、回転シャフト２１の上端面に円環状のドライブギヤ２２とマグネット（図示せず）とを備え、そのチャッキング動作は、不図示のバケットに装填されたカートリッジが回転シャフト２１に対して下降し、ドライブギヤ２２がリールギヤ１６に噛合するとともに、マグネットによりリールプレート１７を吸引して噛合状態が保持される。
【００２３】
そして、図２に示すように、下部フランジ１３の外周端１３ａの高さが下部フランジ１３の内周端１３ｂの高さより低い位置にあるとともに、上部フランジ１４の外周端１４ａの高さが上部フランジ１４の内周端１４ｂの高さより高い位置にあるように設定されている。なお、上下フランジ１３，１４の外周端１３ａ，１４ａおよび内終端１３ｂ，１４ｂの高さは、相対向する内側フランジ面の高さである。すなわち、下部フランジ１３の内周端１３ｂの高さから外周端１３ａの高さを引いた値ｔ１が正（ｔ１＞０）であり、上部フランジ１４の外周端１４ｂの高さから内周端１４ａの高さを引いた値ｔ２も正（ｔ２＞０）である。
【００２４】
上記高さ関係は、リールギヤ１６にドライブギヤ２２が噛合してチャッキングされ、テープリール１１が回転駆動された際に、上下フランジ１３，１４の全周において常に満たされるように設定されている。
【００２５】
具体的には、上記ｔ１，ｔ２の値は、ドライブギヤ２２とリールギヤ１６の噛合精度、リール１１の下部フランジ１３および上部フランジ１４の成形および加工精度等の影響の組み合わせを考慮し、ドライブギヤ２２の回転駆動における回転シャフト２１の回転中心に直交する面に対する上下フランジ１３，１４の外周端１３ａ，１４ａの面振れが、ハブ１２の外周から繰り出されるまたはハブ１２の外周に巻き取る記録メディアテープの上下縁部に少なくとも接触することがないように設定される。なお、リールギヤ１６の形成位置に近い下部フランジ１３の面振れ量より、上部フランジ１４の面振れ量が基本的に大きくなることから、下部フランジ１３における上記ｔ１の値に対し、上部フランジ１４における上記ｔ２の値は大きく（ｔ２＞ｔ１）設定される。
【００２６】
本実施の形態によれば、ドライブ装置２０のドライブギヤ２２とリールギヤ１６とが噛合されてテープリール１１が回転駆動され、テープリール１１の回転に伴って記録メディアテープの走行が行なわれる際に、ドライブギヤ２２とリールギヤ１６との噛合に微小の面振れがあっても、その影響による上部フランジ１４および下部フランジ１３の面振れが走行する記録メディアテープの高さ位置等に影響を与えることなく、この記録メディアテープが正確な高さで記録再生装置の走行路を走行し、高記録密度における良好な記録再生を行なうことができ、これによって信頼性を高めることができる。
【図面の簡単な説明】
【図１】  本発明の実施の形態を示すテープリールの断面図
【図２】  図１のテープリールの寸法関係を示す模式図
【符号の説明】
１１    テープリール
１２    ハブ
１３    下部フランジ
１４    上部フランジ
１６    リ−ルギヤ
２０    ドライブ装置
２２    ドライブギヤ
【図１】
0004209090.tif 000002
【図２】
0004209090.tif 000003